【手続補正書】
【提出日】平成22年8月12日(2010.8.12)
【手続補正１】
【補正対象書類名】特許請求の範囲
【補正対象項目名】全文
【補正方法】変更
【補正の内容】
【特許請求の範囲】
【請求項１】
電力を生成するように構成されたＲＦ電力送信機と、
前記ＲＦ電力送信機に結合され、第１の電力部分及び第２の電力部分を生成するために前記ＲＦ電力送信機から受け取った電力を分割するように構成された第１の電力タッピング構成要素と、
前記第１の電力タッピング構成要素に結合され、第３の電力部分及び第４の電力部分を生成するために前記第２の電力部分を分割するように構成された第２の電力タッピング構成要素と、
前記第１の電力タッピング構成要素に結合され、前記第１の電力タッピング構成要素から受け取った前記第１の電力部分を伝送するように構成された第１のアンテナと、
前記第２の電力タッピング構成要素に結合され、前記第２の電力タッピング構成要素から受け取った前記第３の電力部分を伝送するように構成された第２のアンテナと、
を備える装置。
【請求項２】
前記第１の電力タッピング構成要素が、方向性カプラを含む、請求項１に記載の装置。
【請求項３】
前記ＲＦ電力送信機が第１のＲＦ電力送信機であり、前記システムが、
電力を生成するように構成され、前記第２の電力タッピング構成要素に結合された第２のＲＦ電力送信機をさらに含む、請求項１に記載の装置。
【請求項４】
前記第１のＲＦ電力送信機、前記第１の電力タッピング構成要素、前記第２の電力タッピング構成要素、前記第１のアンテナ、前記第２のアンテナ又は前記第２のＲＦ電力送信機のうちの少なくとも１つに結合されたコントローラをさらに含む、請求項３に記載の装置。
【請求項５】
前記第１の電力タッピング構成要素が、双方向性カプラを含む、請求項３に記載の装置。
【請求項６】
前記方向性カプラが、フィールド調整可能な方向性カプラを含む、請求項２に記載の装置。
【請求項７】
前記第１の電力タッピング構成要素が、電力分配器を含む、請求項３に記載の装置。
【請求項８】
電力を生成するように構成された第３のＲＦ電力送信機と、
前記第１の電力タッピング構成要素及び前記第２の電力タッピング構成要素に結合され、第５の電力部分及び第６の電力部分を生成するために前記第３のＲＦ電力送信機から受け取った電力を分割するように構成された第３の電力タッピング構成要素と、
前記第３の電力タッピング構成要素に結合され、前記第３の電力タッピング構成要素から受け取った前記第５の電力部分を伝送するように構成された第３のアンテナと、
をさらに含む、請求項３に記載の装置。
【請求項９】
前記第１のＲＦ電力送信機、前記第１の電力タッピング構成要素、前記第２の電力タッピング構成要素、前記第３の電力タッピング構成要素、前記第１のアンテナ、前記第２のアンテナ、前記第３のアンテナ、前記第２のＲＦ電力送信機、又は前記第３のＲＦ電力送信機のうちの少なくとも１つに電気的に接続されたコントローラをさらに含む、請求項８に記載の装置。
【請求項１０】
前記第２の電力タッピング構成要素に結合された終端負荷をさらに含む、請求項１に記載の装置。
【請求項１１】
前記ＲＦ電力送信機と前記第１の電力タッピング構成要素とを結合するように構成された伝送線路をさらに含む、請求項１に記載の装置。
【請求項１２】
前記第１の電力タッピング構成要素と前記第２の電力タッピング構成要素とを結合するように構成された伝送線路をさらに含む、請求項１に記載の装置。
【請求項１３】
前記ＲＦ電力送信機、前記第１の電力タッピング構成要素、前記第２の電力タッピング構成要素、前記第１のアンテナ、又は前記第２のアンテナのうちの少なくとも１つに結合されたコントローラをさらに含む、請求項１に記載の装置。
【請求項１４】
前記コントローラが第１のコントローラであり、前記システムが、
前記第１のコントローラに結合された第２のコントローラをさらに含む、請求項１３に記載の装置。
【請求項１５】
前記ＲＦ電力送信機、前記第１の電力タッピング構成要素、前記第２の電力タッピング構成要素、前記第１のアンテナ、及び前記第２のアンテナが、前記ＲＦ電力送信機によって生成された電力を少なくとも１つの電力パルスを介して無線伝送するように集合的に構成される、請求項１に記載の装置。
【請求項１６】
前記第１の電力タッピング構成要素が、スイッチを含む、請求項１に記載の装置。
【請求項１７】
前記スイッチが、制御線路を介して制御されるように構成される、請求１６に記載の装置。
【請求項１８】
前記スイッチが、電力の感知によって制御されるように構成される、請求項１６に記載の装置。
【請求項１９】
前記感知された電力が、第１の電力パルス及び第２の電力パルスを含む、請求項１８に記載の装置。
【請求項２０】
前記第１の電力パルスが、前記第２のパルスの持続時間と異なる持続時間を有する、請求項１９に記載の装置。
【請求項２１】
前記第１の電力パルスが、前記第２の電力パルスとは異なる時間インスタンスにおいて生じる、請求項１９に記載の装置。
【請求項２２】
前記スイッチが、通信信号によって制御されるように構成される、請求項１６に記載の装置。
【請求項２３】
前記通信信号が、同軸ケーブルを介して前記スイッチによって受け取られる、請求項２２に記載の装置。
【請求項２４】
前記第１のアンテナが、伝送線路を含む、請求項１に記載の装置。
【請求項２５】
前記第１の電力タッピング構成要素及び前記第２の電力タッピング構成要素の各々が、前記ＲＦ電力送信機によって生成された電力の一部に基づいて動作するように構成される、請求項１に記載の装置。
【請求項２６】
前記ＲＦ送信機が、前記ＲＦ電力送信機を前記第１の電力タッピング構成要素に結合するように構成された第１のコネクタを含み、
前記第１の電力タッピング構成要素が、前記第１の電力タッピング構成要素を前記第２の電力タッピング構成要素に結合するように構成された第２のコネクタを含む、請求項１に記載の装置。
【請求項２７】
前記第１のアンテナを介して伝送された電力及び前記第２のアンテナを介して伝送された電力のうちの少なくとも１つを受け取るように構成された受信アンテナを有するデバイスをさらに含む、請求項１に記載の装置。
【請求項２８】
前記ＲＦ電力送信機、前記第１の電力タッピング構成要素、前記第２の電力タッピング構成要素、前記第１のアンテナ、又は前記第２のアンテナのうちの少なくとも１つに結合されたコントローラをさらに含む、請求項２７に記載の装置。
【請求項２９】
前記第１の電力タッピング構成要素が、スイッチを含む、請求項２７に記載の装置。
【請求項３０】
前記第１のアンテナ及び前記第２のアンテナが、少なくとも１つの電力パルスを介して電力を伝送するように構成される、請求項２７に記載の装置。
【請求項３１】
前記第１の電力タッピング構成要素及び前記第２の電力タッピング構成要素の各々が、前記第１のＲＦ電力送信機によって生成された電力の一部に基づいて動作するように構成される、請求項２７に記載の装置。
【請求項３２】
ＲＦ電力信号を生成することと、
前記生成されたＲＦ電力信号を、第１の電力タッピング構成要素において前記生成されたＲＦ電力信号の第１の部分及び前記生成されたＲＦ電力信号の第２の部分に分割することと、
前記生成されたＲＦ電力信号の前記第１の部分をアンテナにおいて伝送することと、
前記生成されたＲＦ電力信号の前記第２の部分の少なくとも一部分を前記第１の電力タッピング構成要素に結合された第２の電力タッピング構成要素に与えること、
を含む、方法。
【請求項３３】
リモートデバイスにおいて、伝送された前記生成されたＲＦ電力信号の前記第１の部分の少なくとも一部を受け取ることと、
前記リモートデバイスにおいて受け取った電力をＤＣ電力に変換することと、
をさらに含む、請求項３２に記載の方法。
【請求項３４】
前記生成されたＲＦ電力信号の前記第２の部分を、前記第２の電力タッピング構成要素を介して、前記生成されたＲＦ電力信号の第３の部分と前記生成されたＲＦ電力信号の第４の部分に分割することと、
前記第２の電力タッピング構成要素に結合された第２のアンテナを介して、前記生成されたＲＦ電力信号の前記第３の部分を伝送することと、
をさらに含む、請求項３３に記載の方法。